(57)【要約】【課題】小型電気機器としての利便性の更なる向上を図ることのできる非接触給電システム用表示システムを提供する。【解決手段】非接触給電システム用表示システムは、非接触給電対象である電気かみそりから転送される画像情報を可視可能に表示する表示ユニット２４を備える。電気かみそりは、受電ユニットと、認証情報保持部と、撮像ユニットと、第１の無線通信ユニットとを備える。送電装置２０は、第２の無線通信ユニット３２と、認証回路２１４と、表示ユニット２４とを備え、受信される認証情報が認証回路２１４によって認証された電気かみそりであることを条件に送電を行い、当該電気かみそりの撮像装置からリアルタイムに送られる画像情報を表示ユニット２４にリアルタイムに可視可能に表示する。【選択図】図４
2014050127.tif 000002
【特許請求の範囲】
【請求項１】
非接触給電対象である小型電気機器から転送される画像情報を可視可能に表示する表示装置を備える非接触給電システム用表示システムであって、
前記小型電気機器は、前記非接触給電システムの送電装置から送電される電力を非接触で受電する受電装置と、自らの認証情報を保持する認証情報保持部と、当該小型電気機器が作用する部位を撮像する撮像装置と、前記保持されている認証情報及び前記撮像される画像情報を無線通信にて送信する第１の通信装置とを備え、
前記非接触給電システムの送電装置は、前記小型電気機器から無線通信にて送信される認証情報及び画像情報を受信する第２の通信装置と、前記受信される小型電気機器の認証情報を認証する認証装置と、前記表示装置とを備え、前記受信される認証情報が前記認証装置によって認証された小型電気機器であることを条件に送電を行い、当該小型電気機器の撮像装置からリアルタイムに送られる画像情報を前記表示装置にリアルタイムに可視可能に表示する
ことを特徴とする非接触給電システム用表示システム。
【請求項２】
前記表示装置は、外部に画像を投影することによって画像を表示させるものである
請求項１に記載の非接触給電システム用表示システム。
【請求項３】
前記表示装置は、画像表示部と、該画像表示部に表示された画像を透過可能な鏡面とを有する
請求項１に記載の非接触給電システム用表示システム。
【請求項４】
前記表示装置には、電力を伝送していることを示す情報が併せて表示される
請求項１〜３のいずれか一項に記載の非接触給電システム用表示システム。
【請求項５】
前記表示装置には、前記小型電気機器への給電に同期して、前記小型電気機器から送信される画像情報が可視可能に表示される
請求項１〜３のいずれか一項に記載の非接触給電システム用表示システム。
【請求項６】
前記小型電気機器は、特定の操作により発電する発電部を有し、前記発電部が発電した電力を前記認証情報の送信に用いる
請求項１〜５のいずれか一項に記載の非接触給電システム用表示システム。
【請求項７】
前記小型電気機器は、体温で発電する発電部を有し、前記発電部が発電した電力を前記認証情報の送信に用いる
請求項１〜６のいずれか一項に記載の非接触給電システム用表示システム。
【請求項８】
前記表示装置は、洗面台に設けられ、該洗面台に設けられた鏡に沿って電力伝送用の送電コイルが配置されている
請求項１〜７のいずれか一項に記載の非接触給電システム用表示システム。
【請求項９】
前記表示装置は、浴室に設けられ、該浴室に設けられた鏡に沿って電力伝送用の送電コイルが配置されている
請求項１〜７のいずれか一項に記載の非接触給電システム用表示システム。
【請求項１０】
前記送電コイルを発熱させて鏡面を保温する
請求項８又は９に記載の非接触給電システム用表示システム。
【発明の詳細な説明】
【技術分野】
【０００１】
本発明は、非接触給電システムから給電された小型電気機器が撮像した画像を表示する非接触給電システム用表示システムに関する。
【背景技術】
【０００２】
従来、上記小型電気機器としては、電気かみそりや電動歯ブラシ、さらには各種美容器具など、主に自身の身体の手入れのためにユーザが片手に持って操作する電気機器が知られている。そして通常、小型電気機器は、ユーザがその使用状態、すなわち手入れ状態を確認しながら使用することが多い。しかし、小型電気機器の中には、その使用状態をユーザが確認しにくいものもあるため、そうした小型電気機器あるいはその使用部分については、ユーザが鏡を介して視認することもよく行なわれている。ところが、鏡を使ったとしても、ユーザが十分に視認することができない部分もある。そこで、小型電気機器の使用範囲に対するユーザの視認性を向上させることのできる小型電気機器の一例が特許文献１に記載されている。
【０００３】
特許文献１に記載の小型電気機器はレーザ美容処理器である。このレーザ美容処理器には、外部電源が接続される電源ユニットと、被処理部位にレーザを照射するレーザ光源及び光学系と、被処理部位を撮像する撮像素子と、撮像により得られた画像データを送信する通信ユニットとが設けられている。また、このレーザ美容処理器には、液晶モニタを有するデジタル画像機器が通信可能に接続されている。そして、レーザ美容処理器は、撮像した被処理部位の画像データをデジタル画像機器に送信し、デジタル画像機器では、この送信された画像データを液晶モニタに表示する。これにより、ユーザは、レーザ美容処理器によりレーザが照射される被処理部位を液晶モニタを介して視認することができる。
【先行技術文献】
【特許文献】
【０００４】
【特許文献１】特開２００３−１８０７０８号公報
【特許文献２】特開２０１２−２９５２７号公報
【発明の概要】
【発明が解決しようとする課題】
【０００５】
特許文献１に記載の小型電気機器（レーザ美容処理器）は、その向きが使用部位や使用態様によって大きく変化する。このため、小型電気機器の向きを変える都度、電源コードの引き回しがユーザに煩わしさを感じさせて、小型電気機器を使用する上での自由度に制約を与えるおそれが否定できない。
【０００６】
そうしたことから近年は、小型電気機器に非接触で電力供給を行なう非接触給電システムを採用することが検討されている。非接触給電システムとしては、例えば、特許文献２に記載のようなシステムが知られている。
【０００７】
特許文献２に記載のシステムは、電気錠システムである。電気錠システムには、扉枠と開閉扉とが設けられている。扉枠には、電力を非接触で送電するための給電ユニットが設けられている。開閉扉には、電力を非接触で受電するための受電ユニットと、受電ユニットから出力される電力によって作動する鍵認証装置とが設けられている。つまり、扉枠の給電ユニットから非接触で伝送された電力により開閉扉の鍵認証装置が作動し、開閉扉の認証子機の認証処理が行なわれる。
【０００８】
ところが、特許文献２に記載された電気錠システムなどの非接触給電システムは、非接触で電力を伝送するための構造にある程度の大きさが必要なため、こうしたシステムを上記小型電気機器などに採用することは難しい。
【０００９】
本発明は、このような実情に鑑みてなされたものであって、その目的は、小型電気機器としての利便性の更なる向上を図ることのできる非接触給電システム用表示システムを提供することにある。
【課題を解決するための手段】
【００１０】
・本発明の非接触給電システム用表示システムは、非接触給電対象である小型電気機器から転送される画像情報を可視可能に表示する表示装置を備える非接触給電システム用表示システムであって、前記小型電気機器は、前記非接触給電システムの送電装置から送電される電力を非接触で受電する受電装置と、自らの認証情報を保持する認証情報保持部と、当該小型電気機器が作用する部位を撮像する撮像装置と、前記保持されている認証情報及び前記撮像される画像情報を無線通信にて送信する第１の通信装置とを備え、前記非接触給電システムの送電装置は、前記小型電気機器から無線通信にて送信される認証情報及び画像情報を受信する第２の通信装置と、前記受信される小型電気機器の認証情報を認証する認証装置と、前記表示装置とを備え、前記受信される認証情報が前記認証装置によって認証された小型電気機器であることを条件に送電を行い、当該小型電気機器の撮像装置からリアルタイムに送られる画像情報を前記表示装置にリアルタイムに可視可能に表示することを特徴としている。
【００１１】
・この非接触給電システム用表示システムにおいては、前記表示装置は、外部に画像を投影することによって画像を表示させるものであることが好ましい。
・この非接触給電システム用表示システムにおいては、前記表示装置は、画像表示部と、該画像表示部に表示された画像を透過可能な鏡面とを有することが好ましい。
【００１２】
・この非接触給電システム用表示システムにおいては、前記表示装置には、電力を伝送していることを示す情報が併せて表示されることが好ましい。
・この非接触給電システム用表示システムにおいては、前記表示装置には、前記小型電気機器への給電に同期して、前記小型電気機器から送信される画像情報が可視可能に表示されることが好ましい。
【００１３】
・この非接触給電システム用表示システムにおいては、前記小型電気機器は、特定の操作により発電する発電部を有し、前記発電部が発電した電力を前記認証情報の送信に用いることが好ましい。
【００１４】
・この非接触給電システム用表示システムにおいては、前記小型電気機器は、体温で発電する発電部を有し、前記発電部が発電した電力を前記認証情報の送信に用いることが好ましい。
【００１５】
・この非接触給電システム用表示システムにおいては、前記表示装置は、洗面台に設けられ、該洗面台に設けられた鏡に沿って電力伝送用の送電コイルが配置されていることが好ましい。
【００１６】
・この非接触給電システム用表示システムにおいては、前記表示装置は、浴室に設けられ、該浴室に設けられた鏡に沿って電力伝送用の送電コイルが配置されていることが好ましい。
【００１７】
・この非接触給電システム用表示システムにおいては、前記送電コイルを発熱させて鏡面を保温することが好ましい。
【発明の効果】
【００１８】
本発明は、小型電気機器としての利便性の更なる向上を図ることのできる非接触給電システム用表示システムを提供することができる。
【図面の簡単な説明】
【００１９】
【図１】本発明の非接触給電用表示システムを具体化した第１の実施形態に用いられる小型電気機器を模式的に示す図であって、（ａ）は正面側の模式図、（ｂ）は裏面側の模式図。
【図２】同実施形態においてプロジェクタ型の送電装置を模式的に示す図であって、（ａ）は上面図、（ｂ）は正面側の斜視図。
【図３】同実施形態において、小型電気機器の概略構成を示すブロック図。
【図４】同実施形態において、送電装置の概略構成を示すブロック図。
【図５】同実施形態において、表示システムの作動順序を示すシーケンス図。
【図６】同実施形態において、表示システムの作動順序を示すシーケンス図。
【図７】本発明の非接触給電用表示システムを具体化した第２の実施形態としての送電装置について、洗面台に設けられた送電装置を模式的に示す正面側の模式図。
【図８】同実施形態において、送電装置の概略構成を示すブロック図。
【図９】同実施形態において、表示システムの作動順序を示すシーケンス図。
【図１０】同実施形態において、表示システムの作動順序を示すシーケンス図。
【図１１】本発明の非接触給電用表示システムを具体化したその他の実施形態としての送電装置について、浴室に設けられた送電装置を模式的に示す正面側の模式図。
【発明を実施するための形態】
【００２０】
（第１の実施形態）
以下、本発明にかかる非接触給電用表示システムの第１の実施形態について、図１〜６を参照して説明する。まず、本実施形態における非接触給電用表示システムの概略を、図１及び図２を参照して説明する。
【００２１】
非接触給電用表示システムは、小型電気機器（受電装置）１０と、送電装置２０とを備えている。
図１に示すように、小型電気機器（受電装置）１０は、身体の手入れに用いられる電気かみそり１０である。この電気かみそり１０は、送電装置２０から電磁誘導により伝送された電力を受電コイル１１１にて受電する。そして、電気かみそり１０は、受電コイル１１１で受電した電力を、「かみそり」からなる作用部１２１や小型カメラを構成する撮像装置としての撮像素子１３１などを作動させる電力として利用する。詳述すると、電気かみそり１０は、電源スイッチ１４と、撮像素子１３１と、無線通信用の通信アンテナ３１３と、非接触で電力を受電するための受電コイル１１１とを備えている。電気かみそり１０は、電源スイッチ１４が操作されることによって、作用部１２１や撮像素子１３１などが作動し、作用部１２１が当たって処理される部分の画像を撮像素子１３１が撮像する。そして、電気かみそり１０は、撮像素子１３１が撮像した画像に対応する画像情報としての画像データを含む通信用信号を、通信アンテナ３１３を介して送信する。
【００２２】
図２に示すように、送電装置２０は画像を外部に投影する機能、いわゆるプロジェクタの機能を備える。送電装置２０は、画像を外部に投影する投射レンズ２４１と、無線通信用の通信アンテナ３２３と、非接触で電力を送電するための送電コイル２１１とを備えている。送電装置２０は、送電コイル２１１から電磁誘導による非接触給電を行う。これにより送電装置２０は、電気かみそり１０にその作動に必要な電力を供給する。また、送電装置２０は、電気かみそり１０が送信した画像データを含む通信用信号を通信アンテナ３２３にて受信し、受信した通信用信号に含まれる画像データに基づく画像を、投射レンズ２４１を介して外部スクリーンなどの投影面２７に投影する。スクリーンなどの投影面２７への投影は、プロジェクタが小型であっても投影画像を拡大することが容易である。また画像の拡大が容易であるため、視力の低い人や高齢の人が見やすい大きさの画像を提供することができる。
【００２３】
送電装置２０と電気かみそり１０とは、送電装置２０から電気かみそり１０への非接触給電が可能な距離に配置される。これにより、電気かみそり１０を利用しながら送電装置２０を操作して画像表示を調整することなどが容易に行える。
【００２４】
次に、電気かみそり１０及び送電装置２０の詳細について、図３及び図４を参照して説明する。
図３に示すように、電気かみそり１０は、非接触給電における受電装置としての受電ユニット１１と、作用部１２１を駆動する負荷としての動作ユニット１２とから構成される。また、電気かみそり１０は、外部を撮像する撮像ユニット１３と、送電装置２０と無線通信する第１の通信装置としての第１の無線通信ユニット３１とから構成されている。さらに、電気かみそり１０は、ユーザによって操作される電源スイッチ１４と、電源スイッチ１４の操作が伝達される発電部としての自己発電ユニット１５と、各ユニット１１〜１５，３１に電気的に接続される第１の制御回路１６とから構成されている。
【００２５】
第１の制御回路１６は、電気かみそり１０の各種動作を制御する。第１の制御回路１６は、演算装置と、揮発性メモリと、不揮発性メモリなどを備えるマイクロコンピュータを有し構成されている。不揮発性メモリには、第１の制御回路１６にて実行されるプログラムや、各種判定処理動作を行う際に使用される各種のデータが記憶されている。また、不揮発性メモリには、電気かみそり１０自らの認証情報や識別情報などが記憶されていてもよい。第１の制御回路１６は、接続される各ユニット１１〜１５，３１の状態などを取得する。また第１の制御回路１６は、各ユニット１１〜１５，３１に必要な指示を与える。第１の制御回路１６は、取得した各ユニット１１〜１５，３１の状態に応じて所定の判断を行い、各ユニット１１〜１５，３１に必要な処理を指示することができる。例えば、第１の制御回路１６は、各ユニット１１〜１３，３１への電源投入や電源遮断の制御、いわゆるオン／オフの制御を行うことができる。また、例えば、第１の制御回路１６は、受電ユニット１１による受電処理に必要な各種処理を各ユニットに指示することができる。
【００２６】
受電ユニット１１は、非接触で伝送された電力を受電して電気かみそり１０内の各ユニット１２，１３等に供給する。受電ユニット１１は、その動作が第１の制御回路１６により制御されている。
【００２７】
受電ユニット１１は、非接触で電力を受電する受電コイル１１１と、受電コイル１１１に電気的に接続される整流回路１１２とから構成されている。また受電ユニット１１は、送電装置２０から電気かみそり１０への給電を認証する認証回路１１３と、電気かみそり１０内へ供給する電力を調整する電力制御回路１１４とから構成されている。
【００２８】
受電コイル１１１は、送電装置２０から伝送される磁束に鎖交し、磁束に応じた交流電流を発生させて、その発生させた交流電流を整流回路１１２へ出力する。受電コイル１１１は、平面コイルとして形成されている。受電コイル１１１は、平面上において内側から外側に徐々に拡がるように配置された複数の円形部分からなりそれら円形部分が電気かみそり１０の長手方向に延びる平面に平行に配置された構造を有する。受電コイル１１１の径は、送電コイル２１１の径よりも小さい。受電コイル１１１はコイル内にコアを有していてもよい。
【００２９】
整流回路１１２は、受電コイル１１１から入力された交流電流を直流電流に整流して負荷（動作ユニット）１２等に出力する。整流回路１１２は、４つのダイオードを組み合わせて形成された整流ブリッジと、整流ブリッジを通過した電流を平滑化するコンデンサとを有する。
【００３０】
認証回路１１３は、送電装置２０が受電ユニット１１に適合する給電装置であり、かつ送電装置２０が送電可能な状態であることを検知すると、電気かみそり１１から送電装置２０へ電力要求信号を送信させる。これにより、認証回路１１３によって認証されていない送電装置２０が電気かみそり１０に不用意に電力を供給することが防止される。例えば、認証回路１１３は、第１の無線通信ユニット３１から送電装置２０が送信した待機状態信号を受ける。認証回路１１３は、受けた待機状態信号から当該電気かみそり１０が送電装置２０に適合すること、かつ送電装置２０は給電準備ができていることを検知すると、第１の無線通信ユニット３１から送電装置２０に電力要求信号を送信する。これにより、送電装置２０からの給電が開始され、受電した受電ユニット１１から電気かみそり１０内に電力が供給される。その一方、認証回路１１３が、送電装置２０が受電ユニット１１に適合すること、又は送電装置２０が送電可能な状態であることを検知できないとき、第１の無線通信ユニット３１から送電装置２０に電力要求信号を送信させない。このため、送電装置２０からの給電が開始されず、受電ユニット１１は電気かみそり１０内へ電力を供給することができない。
【００３１】
電力制御回路１１４は、整流回路１１２から電気かみそり１０内へ供給する電力量等を制御する。例えば、電力制御回路１１４は、受電コイル１１１の感度調整等によって、受電コイル１１１から整流回路１１２へ供給される交流電力の大きさ等を調整する。これにより、電力制御回路１１４は、整流回路１１２から出力される直流電力の電力量等を調整する。
【００３２】
すなわち、受電ユニット１１は、受電コイル１１１で生じた電力を整流回路１１２によって整流して、直流に変え、動作ユニット１２等に供給する。なお、認証回路１１３による認証結果の検出と、電力制御回路１１４による供給電力の制御は、第１の制御回路１６からの指示によって必要に応じて行われる。
【００３３】
動作ユニット１２は、電気モータを備え、その電気モータを受電ユニット１１から供給される電力によって駆動させて、身体の手入れを実行する「かみそり」（作用部１２１）を作動させる。なお、動作ユニット１２は、第１の制御回路１６の指示に応じて電気モータを駆動させる。つまり第１の制御回路１６は、電源スイッチ１４の状態に応じて電気モータを駆動させるか否かを動作ユニット１２に指示する。
【００３４】
撮像ユニット１３は、受電ユニット１１から電力が供給される。撮像ユニット１３は、撮像した画像を第１の無線通信ユニット３１へ出力する。撮像ユニット１３は、撮像レンズを備える半導体からなる撮像素子１３１と、撮像素子１３１が撮像したデータを処理して所定の画像データを生成する画像処理回路１３２とから構成されている。
【００３５】
撮像素子１３１は、作用部１２１の方向に撮像方向を向けるように、電気かみそり１０の胴体に設置されている。そのため、撮像素子１３１は、体表面（肌）のうち作用部１２１の作用する部位と、その体表面（肌）の部位を含む周辺を撮影することができる。撮像素子１３１は、ＣＣＤのイメージセンサにより構成される。撮像素子１３１は、受電ユニット１１から供給された電力で作動する。撮像素子１３１は、撮像レンズ等を介して外部から入力された画像を受像し、受像した画像に対応するデータを画像処理回路１３２に出力する。なお、電気かみそり１０の胴体や撮像素子１３１には撮影画質向上のため、撮像部分を照らす光源があってもよい。
【００３６】
画像処理回路１３２は、撮像素子１３１から入力されたデータを実時間で画像処理して画像データを生成し、この生成した画像データを第１の無線通信ユニット３１へ出力する。画像処理回路１３２は、画像処理として、色補正や、デモザイク処理や、階調補正（γ補正）や、ＹＣ分離処理などを行ってもよい。
【００３７】
第１の無線通信ユニット３１は、画像データを符号化する画像符号器３１１と、通信用信号を変復調する通信回路３１２と、無線通信用の通信アンテナ３１３とから構成されている。なお、無線通信には、公知の方法が適用される。つまり、無線通信には、例えば、ＺｉｇＢｅｅ（「ＺＩＧＢＥＥ」は登録商標）や、Ｂｌｕｅｔｏｏｔｈ（登録商標）や、Ｗｉ−Ｆｉや、特定小電力無線や、赤外線通信や、Ｚ−Ｗａｖｅ等の無線通信を利用することができる。
【００３８】
画像符号器３１１は、撮像ユニット１３から入力された画像データを無線通信に適した通信用信号に変換して、通信回路３１２に出力する。画像符号器３１１における画像データの変換は、例えば、圧縮や、暗号化などが挙げられる。
【００３９】
通信回路３１２は、送電装置２０との間で、通信用信号を無線通信によって授受することが可能になっている。通信回路３１２は、送電装置２０に対し、画像データなどが含まれる通信用信号を送信する。また通信回路３１２は、送電装置２０に対し、電気かみそり１０の識別情報や、送電装置２０に給電を認証させるための認証情報や、電力要求信号や、受電状況を示す情報を含む各通信用信号を送信することもできる。電気かみそり１０自らの認証情報や識別情報は、認証情報保持部としての第１の無線通信ユニット３１の不揮発性のメモリに記憶しておいてもよいし、第１の制御回路１６から入力されてもよい。
【００４０】
また、通信回路３１２は、送電装置２０から、電力給電可能であることを示す待機状態信号や、給電対象としての認証された結果に基づいて給電していることを示す給電信号などの各通信用信号を受信することができる。
【００４１】
通信アンテナ３１３は、送電装置２０と電気かみそり１０との間で近距離通信が可能なアンテナである。電気かみそり１０は、使用の際、送電装置２０に対する相対的な位置関係が特定できないため、通信アンテナ３１３は、広い指向性を有している。
【００４２】
電源スイッチ１４は、電気かみそり１０を作動させるためにユーザにより操作される。電源スイッチ１４は、ユーザによる特定の操作により機械的に動く可動部を有する。可動部は、ユーザの特定の操作によって、押し込まれるものでも、スライドしたりするものでもよい。可動部には、自己発電ユニット１５が機械的に接続されているため、可動部の機械的な動きが自己発電ユニット１５に伝達される。
【００４３】
自己発電ユニット１５は、電源スイッチ１４から伝達された機械的な動きに応じて微小な電力を発生させ、この発生した微小電力を第１の無線通信ユニット３１に供給する。自己発電ユニット１５は、圧電素子や振動発電素子などの発電要素を有している。よって、自己発電ユニット１５は、電源スイッチ１４から伝達された機械的な力を、発電要素によって電気エネルギーに変換することができる。なお、発電要素によって得られる電力は微小である。そのため、非接触給電が開始されるまでの間、電源スイッチ１４の複数回操作による自己発電ユニット１５の発電によって第１の無線通信ユニット３１を作動させる電力を確保するようにするとよい。
【００４４】
例えば、電源スイッチ１４が押し込み型スイッチである場合、押される力は瞬間的な力である。このため、電源スイッチ１４の可動部を２段階の深さに押し込めるようにし、１段階目までの押し込みを発電用に用い、２段階目までの押し込みを動作ユニット１２の作動開始用のスイッチに用いてもよい。こうすれば、非接触給電が開始されるまで、電源スイッチ１４の１段階目までの押し込みの繰り返しによって、自己発電ユニット１５が電力を発電することができるようになる。
【００４５】
図４に示すように、送電装置２０は、電力伝送用の送電ユニット２１と、外部から電力が入力される電源回路２２と、電源の入／切用の電源スイッチ２３と、プロジェクタの機能を有する表示装置としての表示ユニット２４とから構成される。また、送電装置２０は、無線通信用の第２の通信装置としての第２の無線通信ユニット３２と、各ユニット２１，２４，３２等に電気的に接続される第２の制御回路２５とから構成されている。
【００４６】
電源スイッチ２３は、送電装置２０の電源の入／切を切り換えるスイッチである。電源スイッチ２３は、自動に操作されても、ユーザに操作されてもよい。電源回路２２は、電源スイッチ２３から電源入りの操作がされた旨の信号が入力されると、送電装置２０内に電力の供給を開始する。すなわち、送電装置２０は、電源スイッチ２３の操作によって電源が入るようになっている。なお、電源スイッチ２３が、商用電源と電源回路２２との間の回路の開閉を行ってもよい。
【００４７】
電源回路２２は、整流回路及びＤＣ／ＤＣコンバータを有している。電源回路２２は、電源スイッチ２３の操作に応じて、外部の商用電源から交流電力を入力して整流回路にて整流する。そして電源回路２２は、整流した直流電圧をＤＣ／ＤＣコンバータにて所望の電圧に変換した後、その直流電圧を各ユニット２１，２４，３２や第２の制御回路２５等に供給する。
【００４８】
第２の制御回路２５は、送電装置２０の各種動作を制御する。第２の制御回路２５は、演算装置や、揮発性メモリや不揮発性メモリなどを備えるマイクロコンピュータを有し構成されている。不揮発性メモリには、第２の制御回路２５にて実行されるプログラムや、各種判定処理動作を行う際に使用される各種のデータが記憶されている。
【００４９】
第２の制御回路２５は、接続される各ユニット２１，２４，３２の状態などを取得する。また第２の制御回路２５は、各ユニット２１，２４，３２に必要な処理を指示する。第２の制御回路２５は、取得した各ユニット２１，２４，３２の状態に応じて、各ユニット２１，２４，３２に必要な処理を指示することができる。例えば、第２の制御回路２５は、各ユニット２１，２４，３２のオン／オフの制御を行うことができる。また、例えば、第２の制御回路２５は、送電ユニット２１に対して送電に必要な各種処理を指示することができる。
【００５０】
第２の無線通信ユニット３２は、画像データを復号する画像復号器３２１と、無線通信用の信号を変復調する通信回路３２２と、無線通信用の通信アンテナ３２３とから構成されている。なお、無線通信は、公知の方法が適用できる。つまり、無線通信には、規格等に制限は無く、例えば、ＺｉｇＢｅｅ（「ＺＩＧＢＥＥ」は登録商標）や、Ｂｌｕｅｔｏｏｔｈ（登録商標）や、Ｗｉ−Ｆｉや、特定小電力無線や、赤外線通信や、Ｚ−Ｗａｖｅ等の無線通信を利用することができる。なお、本実施形態では、第１と第２の無線通信ユニット３１、３２は、ＺｉｇＢｅｅ（「ＺＩＧＢＥＥ」は登録商標）の規格で通信するものとする。
【００５１】
画像復号器３２１は、通信回路３２２から入力された画像データに所定の処理を施して表示ユニット２４に出力する。画像復号器３２１は、所定の処理として、例えば、圧縮されたデータを元に戻したり（伸長したり）、暗号化されているデータを復号したりする。つまり、画像復号器３２１は、通信回路３１２から入力された通信用信号を表示ユニット２４で表示可能な画像データに変換する。
【００５２】
通信回路３２２は、電気かみそり１０との間で、通信用信号を無線通信によって授受することが可能になっている。通信回路３２２は、電気かみそり１０から、識別情報や、認証情報や、電力要求信号や、受電状況を示す情報や、供給停止要求信号や、画像データなどが含まれる各通信用信号を受信する。
【００５３】
また、通信回路３２２は、電気かみそり１０へ、電力給電可能であることを示す待機状態信号や、給電していることを示す給電信号などを含む各通信用信号を送信する。
通信アンテナ３２３は、送電装置２０と電気かみそり１０との間で近距離通信が可能なアンテナである。送電装置２０は電力を伝送する方向が定まっているため、通信アンテナ３２３は、送電装置２０が電力を伝送する方向に対する指向性を有している。なお、通信アンテナ３２３は、広い指向性を有していてもよい。
【００５４】
送電ユニット２１は、給電対象である小型電気機器としての電気かみそり１０に、非接触で電力を供給する。送電ユニット２１は、その動作が第２の制御回路２５に制御されている。
【００５５】
送電ユニット２１は、電力を送電する前述の送電コイル２１１と、送電コイル２１１に電気的に接続される電力伝送回路２１２とから構成されている。また、送電ユニット２１は、給電対象に対して電力供給を許可／規制する認証回路２１４と、伝送する電力を調整する電力制御回路２１３とから構成されている。
【００５６】
電力伝送回路２１２は、電源回路２２から入力された直流電力を、交流電力に変換して送電コイル２１１に供給する。電力伝送回路２１２は、公知のフルブリッジ回路を備え、当該フルブリッジ回路に入力した直流電力を、送電コイル２１１を励磁させる交流電力に変換する。
【００５７】
送電コイル２１１は、平面視において略四角形を有する平面コイルとして形成されており、送電装置２０の筐体の平面状の外面に沿って配置されている（図２参照）。なお、送電コイル２１１は、平面視において略円形を有する平面コイルとして形成されていてもよい。送電コイル２１１は、所定のコイルの巻き数を有し、コイル径は電気かみそり１０の受電コイル１１１の径よりも大きい。送電コイル２１１は、電力伝送回路２１２から入力される所定周波数の交流電流に応じた磁束を発生させ、その発生させた磁束を送電コイル２１１に直交する方向に出力する。
【００５８】
認証回路２１４は、小型電気機器が給電対象であるか否かを判断する回路である。認証回路２１４は、第２の無線通信ユニット３２から電気かみそり１０の電力要求信号が入力される。認証回路２１４は、電力要求信号に含まれる認証情報に基づいて、電気かみそり１０は給電対象であるか否かを判断する。判断は、入力された認証情報を認証回路２１４に設定されている認証情報と比較したり、入力された認証情報に含まれている小型電気機器の仕様が給電対象として適合するか判定したりすることなどにより行う。認証回路２１４は、認証情報に基づいて電気かみそり１０を給電対象として認証すると、電力伝送回路２１２の作動を許可する。このため、認証回路２１４が認証情報を認証すると、電力伝送回路２１２が作動し、送電コイル２１１から電力が伝送され、電気かみそり１０へ電力が供給される。一方、認証回路２１４が認証情報を認証しないと、電力伝送回路２１２が作動しないため送電コイル２１１から電力が伝送されず、電気かみそり１０へ電力が供給されない。
【００５９】
また、認証回路２１４は、電気かみそり１０から送信された供給停止信号を第２の無線通信ユニット３２を介して受け取ると、電気かみそり１０に対する給電対象としての認証を取り消して電力の供給を停止させる。
【００６０】
さらに、認証回路２１４は、電力供給を停止しているとき、第２の無線通信ユニット３２から待機状態信号を送信させる。
電力制御回路２１３は、電力伝送回路２１２から送電コイル２１１へ供給する電力を制御する。例えば、電力制御回路２１３は、電力伝送回路２１２が出力する交流電力のデューティー比や周波数などを調整することによって、送電コイル２１１を励磁する交流電力の大きさ等を調整する。これにより、電力制御回路２１３は、送電コイル２１１から非接触で供給する電力量などを調整する。
【００６１】
すなわち、送電ユニット２１は、電力伝送回路２１２によって生成された交流電力に基づいて発生させた送電コイル２１１の磁束によって電力を非接触で伝送する。なお、第２の制御回路２５からの指示によって、認証回路２１４による給電対象の認証と、電力制御回路２１３による送電する電力量などの制御が行われる。
【００６２】
表示ユニット２４は、プロジェクタであり、投射レンズ２４１と、表示器構成ユニット２４２と、画像処理回路２４３と、投影画像調整部２４４とから構成されている。
表示器構成ユニット２４２は、画像データを画像に変換して投影する光学的な装置であって、公知のプロジェクタの構成からなる。例えば、表示器構成ユニット２４２には、Ｒ，Ｇ，Ｂに対応するＬＣＤ（液晶ディスプレイ）と、プリズムと、各種ミラーと、超高圧水銀ランプと、プレート型の変更ビームスプリッターであるＰＢＳプレートが設けられている。そして、表示ユニット２４は、画像データに基づいてＬＣＤに表示させた画像を、投射レンズ２４１から出力させて投影面２７に投影させる。
【００６３】
画像処理回路２４３は、第２の無線通信ユニット３２から入力される画像データに所定の処理を施して表示器構成ユニット２４２に出力する。例えば、画像処理回路２４３は、画像データを光の三原色（Ｒ，Ｇ，Ｂ）に分割して、表示器構成ユニット２４２の対応するＬＣＤに対して出力する。
【００６４】
投影画像調整部２４４は、投射レンズ２４１を操作して、投影画像の焦点（ピント）や、表示の大きさ（サイズ）を調整する。調整は自動に行なってもよいし、手動操作により行なわれてもよい。
【００６５】
なお、表示ユニット２４は、電源が投入されると、スタート画像などの所定の画像を表示し、画像データ等が入力されるとその画像データ等を表示する。また、送電装置２０は、電力の伝送中に表示ユニット２４から投影する画像に、電力を伝送していることを示す情報として「給電中」の文字を表示することができる。なお、「給電中」との表示は、ユーザが可視可能であれば、「給電中」の文字を含む画像や、「給電中」を意味する画像のみなどであってもよい。
【００６６】
表示ユニット２４は、投影する画像の表示レイアウトのパターンを複数有しており、それらのパターンから選択された表示レイアウトで画像を投影する。このパターンの選択は、自動に選択しても、手動で選択されてもよい。
【００６７】
続いて、非接触給電システム用表示システムの動作について図５及び図６を参照して説明する。
まず、電気かみそり１０が処理を開始するまでの動作について説明する。
【００６８】
図５に示すように、送電装置２０の電源が投入（ＯＮ）されると（ステップＳ１）、送電装置２０は、表示ユニット２４及び第２の無線通信ユニット３２を作動（ＯＮ）させる（ステップＳ２）。表示ユニット２４は、電源が投入されるとスタート画像など所定の画像を表示する。送電装置２０は、第２の無線通信ユニット３２から周期的に「待機状態信号」を送信する（ステップＳ３）。「待機状態信号」は、送電装置２０が給電可能な状態であることを示す信号である。なお、送電装置２０は、「待機状態信号」を送信することに併せて、この「待機状態信号」への応答である「電力要求信号」が受信されるか否かを監視する。
【００６９】
一方、電気かみそり（受電装置）１０は、ユーザの電源スイッチ１４の操作によって自己発電ユニット１５が発電する（ステップＳ４）。自己発電ユニット１５の発電した電力は、第１の無線通信ユニット３１に供給されることで第１の無線通信ユニット３１が作動（ＯＮ）する（ステップＳ５）。自己発電ユニット１５からの電力で作動している第１の無線通信ユニット３１は、「待機状態信号」が受信されることを監視する（ステップＳ６）。そして、第１の無線通信ユニット３１は、「待機状態信号」を受信すると、受信した「待機状態信号」を認証回路１１３に送る。そして認証回路１１３は、「待機状態信号」に基づいて送電装置２０に対する認証を行う。認証回路１１３は、送電装置２０を認証すると、この「待機状態信号」に応答して、「電力要求信号」を第１の無線通信ユニット３１から送信する（ステップＳ７）。なお、「電力要求信号」は、電気かみそり１０を給電対象として承認させるための信号であり、認証情報を含む信号である。
【００７０】
送電装置２０は、電気かみそり１０から送信された「電力要求信号」を受信すると（ステップＳ８）、送電ユニット２１からの給電を開始する（ステップＳ９）。つまり、送電装置２０は、「電力要求信号」に含まれる電気かみそり１０の認証情報に基づいて、電気かみそり１０を給電対象と認証すると、送電ユニット２１の送電コイル２１１から電力を伝送する。送電装置２０は、電力の伝送を開始するとプロジェクタが投影する画像に、電力を伝送していることを示す情報として「給電中」の文字を表示する（ステップ２０）。これにより、ユーザは送電装置２０が電気かみそり１０に非接触給電を開始したことを知ることができる。
【００７１】
電気かみそり１０は、送電装置２０から電力の伝送が開始されると、受電ユニット１１による電力の受電を開始する（ステップＳ１１）。すなわち、電気かみそり１０は、送電コイル２１１の発生させた磁束を受電コイル１１１に受けて電力を発生させる。これにより、受電ユニット１１は電気かみそり１０内の各ユニットに作動に必要な電力を供給する。つまり、電力が供給されることで、動作ユニット１２や撮像ユニット１３が動作（ＯＮ）する（ステップＳ１２）。そして、撮像ユニット１３は、撮像素子１３１を通じて、電気かみそり１０の作用部１２１方向の画像を撮像する（ステップＳ１３）。撮像ユニット１３により撮像された画像は、画像データとして第１の無線通信ユニット３１へ出力される。画像データが入力された第１の無線通信ユニット３１は、画像データに符号化などの所定の処理を施して通信用信号を生成し（ステップＳ１４）、生成した通信用信号を送信（伝送）する（ステップＳ１５）。なお、電気かみそり１０は、ステップＳ１３からステップＳ１５までの処理を逐次繰り返すことで、リアルタイムな画像の画像データを含む通信用信号をリアルタイムに送信する。
【００７２】
送電装置２０は、第２の無線通信ユニット３２が通信用信号を受信すると（ステップＳ１６）、受信した通信用信号に復号化などの所定の処理を施して当該通信用信号に含まれている画像データを取得する（ステップＳ１７）。そして第２の無線通信ユニット３２は、取得した画像データを表示ユニット２４へ出力する。表示ユニット２４は、画像データが入力されると、その入力された画像データにデータ補完処理などの所定の処理を施してから（ステップＳ１８）表示器構成ユニット２４２にて画像にし、その画像を投射レンズ２４１を通じて外部に投影する（ステップＳ１９）。なお、送電装置２０は、ステップＳ１６からステップＳ１９までの処理を逐次繰り返すことで、電気かみそり１０がリアルタイムに送信する画像データをリアルタイムに表示する。つまり、送電装置２０は、給電対象として認証した電気かみそり１０から送られてくる画像データをリアルタイムに表示するようになるため、給電に対する認証をリアルタイム表示に利用することもできる。
【００７３】
電気かみそり１０では、撮像した画像のリアルタイムな送信に並行して、ユーザの操作によって、動作ユニット１２が駆動される（ステップＳ２０）。つまり、動作ユニット１２が作用部１２１を作動させることで、電気かみそり１０の作用する部位に対しての作用部１２１、つまり「かみそり」による処理が開始される。そして、電気かみそり１０による作用する部位への処理と、送電装置２０による作用する部位への投影とが行われる。
【００７４】
これにより、ユーザは、リアルタイムに投影される画像を見ながら電気かみそり１０を利用する。
次に、電気かみそり１０による処理が終了する動作について説明する。
【００７５】
図６に示すように、電気かみそり１０の電源がユーザの操作によって遮断（ＯＦＦ）される（ステップＳ２１）。電気かみそり１０は電源が遮断されると、動作ユニット１２と撮像ユニット１３との電源を遮断する（ＯＦＦ）（ステップＳ２２）。また、電気かみそり１０は電源が遮断されると、第１の無線通信ユニット３１から給電停止要求信号を送信して（ステップＳ２３）、その信号の送信の後、第１の無線通信ユニット３１の電源を遮断する（ＯＦＦ）（ステップＳ２４）。これにより、電気かみそり１０の全ての動作が停止する。
【００７６】
一方、送電装置２０は、電気かみそり１０が送信した給電停止要求信号を第２の無線通信ユニット３２によって受信すると（ステップＳ２５）、送電ユニット２１からの給電を停止する（ステップＳ２６）。送電ユニット２１からの給電が停止すると、送電装置２０は、プロジェクタに投影している「給電中」の表示を消す（ステップＳ２７）。これにより、ユーザは、電気かみそり１０への給電が停止されたことを投影画像によって確認することができる。その後、送電装置２０は、表示ユニット２４の電源を遮断（ＯＦＦ）（ステップＳ２８）し、第２の無線通信ユニット３２の電源を遮断（ＯＦＦ）する（ステップＳ２９）。最後に、送電装置２０の電源スイッチ２３をＯＦＦさせて送電装置２０への電源供給を停止する（ステップＳ３０）。これにより、送電装置２０の全ての動作が停止する。
【００７７】
なお、送電装置２０の電源スイッチ２３は、自動的にＯＦＦさせるように第２の制御回路２５が制御しても、ユーザが操作するようにしてもよい。
以上説明したように、本実施形態の非接触給電システム用表示システムによれば、以下に列記するような効果が得られるようになる。
【００７８】
（１）送電装置２０は、電気かみそり１０からリアルタイムに送られてくる撮像画像等の画像データがリアルタイムで表示ユニット２４によって表示される。また、送電装置２０は、電気かみそり１０に必要な電力を送電装置２０から非接触で給電することができる。すなわち、送電装置２０は、電気かみそり１０への非接触給電と、電気かみそり１０からの画像のリアルタイムでの表示とを併せ行うことができる。これにより、電気かみそり１０としての利便性の更なる向上を図ることのできる非接触給電システム用表示システムを提供することができる。
【００７９】
（２）送電装置２０は、電力を伝送する対象となる電気かみそり１０を認証し、認証した電気かみそり１０に対して電力を伝送することができる。また、送電装置２０は、電力を伝送することを認証した電気かみそり１０から受信したリアルタイムの画像データを投影する。つまり、画像データのリアルタイム表示に、電気かみそり１０に対する認証を利用することができる。つまり、送電装置２０は、非接触給電システムの認証と、画像データの表示とを組み合わせることで、電気かみそり１０からの画像情報の表示を認証に基づいて規制することができるようになる。
【００８０】
（３）電力伝送のためにある程度の大きさが必要となる送電ユニット２１と、画像を表示させるためにある程度の大きさが必要な表示ユニット２４とを組み合わせることで、それぞれの大きさを有効活用することできる。これにより、送電ユニット２１と表示ユニット２４とを有する送電装置２０の大型化を抑え、非接触給電システム用表示システムの大型化や設置に係る煩雑さが抑えられる。
【００８１】
（４）表示ユニット２４は、画像を任意の場所に投影することができるため、表示ユニット２４の設置場所の自由度が向上する。つまり、表示ユニット２４を備える送電装置２０の設置場所の自由度が向上するため、併せて、電気かみそり１０が利用できる場所の自由度の向上も図られる。
【００８２】
また、プロジェクタなどの外部に画像を投影する装置であれば、投影面２７としてスクリーンの他に壁面や家具等の表面を選択できるなど、投影先の制約が少なく、画像の拡大が容易であり、利便性が向上する。
【００８３】
（５）表示ユニット２４は、電力を伝送していることを示す情報を併せて投影するため、電気かみそり１０を使用している最中であれ、ユーザは給電に関する状況を容易に把握することができるようになる。
【００８４】
（６）非接触給電が行われる認証前であれ、電気かみそり１０の自己発電ユニット１５により認証に必要な電力がまかなわれる。これにより、電気かみそり１０へのバッテリ等の搭載を不要とすることができるため、電気かみそり１０の構造が簡単になり、コストを低く抑えることができる。
【００８５】
また、非接触給電システムとしては、認証後に給電を行うようにできるため電力伝送の安全性や確実性が高められる。
（第２の実施形態）
次に、本発明にかかる非接触給電システム用表示システムの第２の実施形態について、図７〜１０を参照して説明する。
【００８６】
本実施形態では、送電装置２０が洗面台２に設けられていることが、第１の実施形態の送電装置２０と相違するが、それ以外の構成は同様である。そこで、以下では、第１の実施形態と相違する構成について説明し、説明の便宜上、同様の構成については同一の符合を付し、その詳細な説明を割愛する。なお、小型電気機器は、第１の実施形態と同様の電気かみそり１０が用いられることとする。
【００８７】
図７に示すように、洗面台２は、送電装置２０を備えている。洗面台２は、送電装置２０を構成する機器が分散配置されている。例えば、洗面台２は、ユーザの上半身に向かい合う位置に鏡としてミラーＬＣＤ２６が設けられ、上部に人の有無を検出する人感センサ２８が設けられ、内部に電源回路２２と第２の制御回路２５と第２の無線通信ユニット３２などのユニットとが配置されている。
【００８８】
次に、送電装置２０の詳細について、図８を参照して説明する。
図８に示すように、送電装置２０は、送電ユニット２１と、電源回路２２と、人感センサ２８と、表示ユニット２４と、第２の無線通信ユニット３２と、各ユニット２１〜２４，３２等に電気的に接続される第２の制御回路２５とから構成されている。
【００８９】
人感センサ２８は、洗面台２の前方位置における人間の有無を検出するための検出器であって、赤外線センサなどの公知の検出器が用いられる。人感センサ２８は、洗面台２の上部に設けられている。なお、洗面台２の前方位置における人間の有無を検出することができるのであれば、人感センサ２８は、洗面台２の中程、下部などの上部以外の位置に設けられていてもよいし、洗面台２から離れた位置に設けられていてもよい。
【００９０】
人感センサ２８は、人間を検出すると検出信号を電源回路２２に入力する。
電源回路２２は、人感センサ２８から検出信号が入力されると、送電装置２０内に電力の供給を開始する。すなわち、送電装置２０は、人感センサ２８が人間を検出することによって電源が入るようになっている。なお、電源回路２２は、人感センサ２８を作動させておくため、人感センサ２８の検出結果にかかわらず、人感センサ２８には電力を常時供給するようにしているとよい。
【００９１】
表示ユニット２４は、ミラーＬＣＤ２６を備えている。画像表示部としてのミラーＬＣＤ２６は、鏡面状の鏡面としての表面２６１を有する液晶ディスプレイであって、バックライトを備える透過型液晶表示器（ＬＣＤ）の表示面に、鏡面（ミラー）として作用する金属蒸着や特殊フィルムが添付されている。通常は、ＬＣＤのバックライトが消灯して、表面２６１が鏡として機能する。一方、バックライトが点灯するとＬＣＤに表示された画像が鏡面状の表面２６１を透過して表面側から視認できるようになる。つまり、送電装置２０の電源が切れているとき、ミラーＬＣＤ２６が通常の鏡として機能する。一方、送電装置２０の電源が入って画像が表示されているとき、画像が表示されている部分はディスプレイとして機能する。なお、ＬＣＤの画像は、鏡面状の表面２６１の略全範囲に表示されても、鏡面状の表面２６１の一部に表示されてもよい。表面２６１のうち、ＬＣＤから外れて画像が表示されていない部分は鏡として機能する。
【００９２】
また、ミラーＬＣＤ２６の裏面には、その表面２６１に沿って送電コイル２１１が配置されている。送電コイル２１１は、ユーザの身体が映る部分に設けられているため、ユーザが利用する電気かみそり１０が自ずと近い位置に配置される。このため、送電コイル２１１と小型電気機器との位置関係が、非接触による電力伝送に適切な関係に維持、配置されるようになる。
【００９３】
続いて、非接触給電システム用表示システムの動作について図９及び図１０を参照して説明する。
まず、電気かみそり１０が処理を開始するまでの動作について説明する。
【００９４】
図９に示すように、送電装置２０は、人感センサ２８によって洗面台２正面における人間の有無を所定の間隔で検出する（ステップＳ１０１）。そして、利用者（ユーザ）が洗面台の前に立つと（ステップＳ１０２）、送電装置２０は、人感センサ２８によって洗面台２正面に人間がいることを検出する（ステップＳ１０３）。送電装置２０は、人感センサ２８による人間の検出によって、送電装置２０の電源が投入（ＯＮ）され（ステップＳ１０４）、第２の無線通信ユニット３２を作動（ＯＮ）させる（ステップＳ１０５）。送電装置２０は、第２の無線通信ユニット３２から周期的に「待機状態信号」を送信する（ステップＳ１０６）。なお、送電装置２０は、「待機状態信号」を送信することに併せて、この「待機状態信号」への応答である「電力要求信号」が受信されるか否かを監視する。
【００９５】
一方、電気かみそり（受電装置）１０は、ユーザの電源スイッチ１４の操作によって自己発電ユニット１５が発電する（ステップＳ１１０）。自己発電ユニット１５の発電した電力は、第１の無線通信ユニット３１に供給されることで第１の無線通信ユニット３１が作動（ＯＮ）する（ステップＳ１１１）。自己発電ユニット１５からの電力で作動している第１の無線通信ユニット３１は、「待機状態信号」が受信されることを監視する（ステップＳ１１１）。そして、第１の無線通信ユニット３１は、「待機状態信号」を受信すると、受信した「待機状態信号」を認証回路１１３に送る。そして認証回路１１３は、「待機状態信号」に基づいて送電装置２０に対する認証を行う。認証回路１１３は、送電装置２０を認証すると、この「待機状態信号」に応答して、「電力要求信号」を第１の無線通信ユニット３１から送信する（ステップＳ１１２）。
【００９６】
送電装置２０は、電気かみそり１０から送信された「電力要求信号」を受信すると（ステップＳ１１３）、表示ユニット２４を作動（ＯＮ）させる（ステップＳ１１４）。これにより、送電装置２０による給電開始と表示ユニット２４の作動とが同期し、ミラーＬＣＤ２６に画像が表示される。つまりユーザから見ると、ミラーＬＣＤ２６は鏡からディスプレイに変化する。そして、送電装置２０は、ミラーＬＣＤ２６にスタート画像等の所定の画像を表示する（ステップＳ１１５）。このように、ミラーＬＣＤ２６が画像表示を開始することから、ユーザは送電装置２０が電気かみそり１０に非接触給電を開始したことを知ることができる。
【００９７】
また、送電装置２０は、送電ユニット２１からの給電を開始する（ステップＳ１１６）。つまり、送電装置２０は、「電力要求信号」に含まれる電気かみそり１０の認証情報に基づいて、電気かみそり１０を給電対象と認証すると、送電ユニット２１の送電コイル２１１から電力を伝送する。
【００９８】
電気かみそり１０は、送電装置２０から電力の伝送が開始されると、受電ユニット１１による電力の受電を開始する（ステップＳ１１７）。電気かみそり１０は、電力が供給されると、動作ユニット１２や撮像ユニット１３が動作（ＯＮ）する（ステップＳ１１８）。そして、撮像ユニット１３は、撮像素子１３１を通じて、電気かみそり１０の「かみそり」（作用部１２１）方向の画像を撮像する（ステップＳ１１９）。撮像ユニット１３により撮像された画像を画像データとして入力した第１の無線通信ユニット３１は、その画像データに符号化などの所定の処理を施して通信用信号を生成し（ステップＳ１２０）、生成した通信用信号を送信（伝送）する（ステップＳ１２１）。なお、電気かみそり１０は、ステップＳ１１９からステップＳ１２１までの処理を逐次繰り返すことで、リアルタイムな画像の画像データを含む通信用信号をリアルタイムに送信する。
【００９９】
送電装置２０は、第２の無線通信ユニット３２が通信用信号を受信すると（ステップＳ１２２）、受信した通信用信号に復号化などの所定の処理を施して当該通信用信号に含まれている画像データを取得する（ステップＳ１２３）。そして第２の無線通信ユニット３２は、取得した画像データを表示ユニット２４へ出力する。表示ユニット２４は、画像データが入力されると、その入力された画像データにデータ補完処理などの所定の処理を施してから（ステップＳ１２４）ミラーＬＣＤ２６に画像表示する（ステップＳ１２５）。なお、送電装置２０は、ステップＳ１２２からステップＳ１２５までの処理を逐次繰り返すことで、電気かみそり１０がリアルタイムに送信する画像データをリアルタイムに表示する。
【０１００】
電気かみそり１０では、撮像した画像のリアルタイムな送信に並行して、ユーザの操作によって、動作ユニット１２が駆動される（ステップＳ１２６）。つまり、動作ユニット１２が作用部１２１を作動させることで、電気かみそり１０の作用する部位に対しての作用部１２１による処理が開始される。そして、電気かみそり１０による作用する部位への処理と、送電装置２０による作用する部位の画像の投影とが行われる。
【０１０１】
次に、電気かみそり１０による処理が終了する動作について説明する。
図６に示すように、電気かみそり１０の電源がユーザの操作によって遮断（ＯＦＦ）される（ステップＳ１３０）。電気かみそり１０は電源が遮断されると、動作ユニット１２と撮像ユニット１３との電源を遮断する（ＯＦＦ）（ステップＳ１３１）。また、電気かみそり１０は電源が遮断されると、第１の無線通信ユニット３１から給電停止要求信号を送信して（ステップＳ１３２）、その信号の送信の後、第１の無線通信ユニット３１の電源を遮断する（ＯＦＦ）（ステップＳ１３３）。これにより、電気かみそり１０の全ての動作が停止する。
【０１０２】
一方、送電装置２０は、電気かみそり１０が送信した給電停止要求信号を第２の無線通信ユニット３２によって受信すると（ステップＳ１３４）、送電ユニット２１からの給電を停止する（ステップＳ１３５）。送電ユニット２１からの給電が停止すると、送電装置２０は、表示ユニット２４の電源を遮断することでミラーＬＣＤ２６の表示を消す（ステップＳ１３６）。なお、送電装置２０は、ミラーＬＣＤ２６の表示を消してから表示ユニット２４の電源を遮断してもよい。これにより、送電装置２０の給電終了と表示ユニット２４の表示終了とが同期し、ユーザは、ミラーＬＣＤ２６の表示が消えたことによって、電気かみそり１０への給電が停止されたことを確認することができる。つまり、ユーザから見ると、ミラーＬＣＤ２６はディスプレイから鏡に変化する。その後、送電装置２０は、第２の無線通信ユニット３２の電源を遮断（ＯＦＦ）する（ステップＳ１３７）。最後に、送電装置２０は、電源回路２２からの電力供給を停止する（ステップＳ１３８）。これにより、送電装置２０は、人感センサ２８の動作を除く、全ての動作が停止する。
【０１０３】
その後、送電装置２０は、人感センサ２８によって洗面台２正面における人間の有無を所定の間隔で検出する（ステップＳ１０１）ことを繰り返す。
以上説明したように、本実施形態の非接触給電システム用表示システムによれば、先の第１の実施形態で記載した効果（１）〜（３），（６）に加え、以下に列記するような効果が得られるようになる。
【０１０４】
（７）通常、ミラーＬＣＤ２６を鏡として利用することができる。そして、電気かみそり１０が画像データを送信する場合、ミラーＬＣＤ２６は鏡面を透過するように画像を表示させるため、鏡面に画像が表示され電気かみそり１０を使用する上での利便性が高まる。また、鏡を見ながら使用される電気かみそり１０に、非接触で電力が伝送できるため、電気かみそり１０を利用する上での制約も少なくなる。
【０１０５】
（８）ミラーＬＣＤ２６には、電気かみそり１０への給電に同期して画像が表示されるため、ユーザは電気かみそり１０への給電に関する状況を、画像が表示されることに基づいて容易に把握できる。
【０１０６】
例えば、電気かみそり１０がバッテリを備えている場合、非接触給電システムによる伝送電力によって作動しているのか、バッテリによって作動しているのか、ユーザが判別することができる。
【０１０７】
（９）電気かみそり１０が利用される機会の多い洗面台２に非接触で電力を伝送することのできる送電装置２０を設置することができる。つまり、洗面台２において、電気かみそり１０の撮像した画像の表示が行える。これによって、ユーザによる電気かみそり１０の利用に関する利便性が向上する。
【０１０８】
（１０）非接触給電システムが洗面台２に常設できるため、システムとしての配置場所の確保が容易になる。電気かみそり１０を使用する時にミラーＬＣＤ２６などの表示装置を設置するわずらわしさもない。また、洗面台２としても外見が従来通りに維持されるため、従来通りの見た目が維持できるようになる。
【０１０９】
（１１）非接触給電は、防水性能を高く維持することができるため、湿度の高い洗面台２での電気かみそり１０の耐湿性を向上させることができる。
（その他の実施形態）
なお上記各実施形態は、以下の態様で実施することもできる。
【０１１０】
・電気かみそり１０が所定時間以上作動しているとき、警告を画像で表示したり、アラーム音などによって通知したりするようにしてもよい。これにより、小型電気機器の利便性の向上が図られるようになる。
【０１１１】
・上記各実施形態では、受電コイル１１１が平面コイルである場合について例示した。しかしこれに限らず、受電コイルの形状は、受電できるのであれば制限はなく、例えば、複数の円形部分が互いに積層された筒状の構造であってもよい。これにより、小型電気機器の形状に適合する受電コイルを採用することができる。つまり、小型電気機器の設計自由度の向上が図られるようになる。
【０１１２】
・上記各実施形態では、電気かみそり１０は蓄電池を有さない場合について例示したが、これに限らず、電気かみそりには蓄電池が設けられていてもよい。そしてこの場合、受電した電力にて蓄電池を充電させてもよい。このとき充電状態の管理に、無線通信を使うこともできる。これにより、小型電気機器の動作の安定性が向上するようになる。
【０１１３】
・上記各実施形態では、撮像素子１３１がＣＣＤのイメージセンサである場合について例示したがこれに限らず、撮像素子は、外部が撮像できるのであればセンサの種類に制限はなく、例えば、ＣＭＯＳのイメージセンサであってもよい。これにより、小型電気機器の設計自由度の向上が図られる。
【０１１４】
・上記各実施形態では、電気かみそり１０の胴体に撮像素子１３１が設けられている場合について例示したが、この撮像素子は、撮像方向が調整できるように向きが変えられるようになっていてもよい。また、焦点調整などのための光学系（レンズ）が設けられていてもよい。これにより小型電気機器の利便性の向上が図られる。
【０１１５】
・上記各実施形態では、電気かみそり１０に撮像ユニット１３が設けられている場合について例示したが、この撮像ユニットには、手ぶれ防止機能や拡大縮小機能などが設けられていてもよい。これにより小型電気機器の利便性の向上が図られる。
【０１１６】
・上記各実施形態では、電力伝送回路２１２がフルブリッジ回路を備える場合について例示したが、これに限らず、電力伝送回路はハーフブリッジ回路を備えていてもよい。ハーフブリッジ回路は、部品点数が少ないためコストを抑えることができる。これにより、送電装置の設計自由度の向上が図られるようになる。
【０１１７】
・上記第２の実施形態では、送電装置２０が洗面台２に設けられている場合について例示した。しかしこれに限らず、ユーザが小型電気機器を用いる場所であれば、送電装置は浴室や、ドレッサーなどに設けられてもよい。
【０１１８】
例えば、図１１に示すように、浴室３が送電装置２０を備えてもよい。浴室３は、送電装置２０を構成する機器が分散配置されている。浴室３は、ユーザの上半身に向かい合う位置に浴室３に備え付けられた鏡としてミラーＬＣＤ２６が設けられ、ミラーＬＣＤ２６の下方に人の有無を検出する人感センサ２８を備えている。また浴室３は、浴室３のカウンタ内に電源回路２２と第２の制御回路２５と第２の無線通信ユニット３２などが配置されている。送電装置２０の送電コイル２１１はミラーＬＣＤ２６の裏側に配置されている。つまり、ミラーＬＣＤ２６はバックライトが消えているとき、鏡として機能する。そして、ユーザがミラーＬＣＤ２６の前で電気かみそり１０を利用するとバックライトがついてミラーＬＣＤ２６に画像が表示されるようになる。
【０１１９】
これにより、電気かみそり１０が利用される機会の多い浴室３に非接触で電力を伝送し、画像を表示できる送電装置２０を設置することができる。つまり、浴室３において、電気かみそり１０の撮像した画像が表示できる。これによって、ユーザによる電気かみそり１０の利用に関する利便性が向上する。
【０１２０】
また、送電装置２０が表に設置されていないため、浴室３としても外見が従来通りに維持される。
さらに、非接触給電は、防水性能を高く維持することができるため、浴室３での電気かみそり１０の利便性を高くすることができる。
【０１２１】
・上記第２の実施形態やその他の実施形態では、ミラーＬＣＤ２６の裏面に設けられた送電コイル２１１が電力伝送する場合について例示した。しかしこれに限らず、送電コイルを発熱させて、ミラーＬＣＤの鏡面を保温することもできる。例えば、湿度の高い場合、洗面台や浴室の鏡面は曇ることが多いが、鏡面を保温することで曇りを防止したり抑制したりすることができる。これにより、鏡面の視認性が確保され、ユーザの利便性の向上が図られる。なお送電コイルは、電力伝送により発熱されてもよいし、電力伝送とは別に発熱されてもよい。
【０１２２】
例えば、送電コイルが給電に併せて発熱される場合、小型電気機器の利用に合わせて曇り止めの効果が発揮される。つまり、ユーザの利用に併せて鏡面の曇り止めが行われ、小型電気機器の利用にかかる利便性が高く維持される。
【０１２３】
・上記第２の実施形態やその他の実施形態では、送電コイル２１１がミラーＬＣＤ２６の裏面に設けられる場合について例示した。しかしこれに限らず、鏡への映りを妨害しないのであれば送電コイルは鏡の表面に沿って設けてもよい。また、送電コイルが透明であれば鏡の表面に自由な配置で設けてもよい。これにより、送電コイルの配置場所の確保が容易になる。
【０１２４】
・上記第２の実施形態やその他の実施形態では、送電コイル２１１がミラーＬＣＤ２６に設けられている場合について例示した。しかしこれに限らず、送電コイルは、洗面台の洗面ボール上や鏡の外周に設置されていてもよい。また、壁面等に中継コイルを設置して電力伝送を行ってもよい。これにより、送電コイルの配置に関する設計自由度が向上するようになる。
【０１２５】
・上記第２の実施形態では、リアルタイムの画像を表示させるディスプレイがミラーＬＣＤ２６である場合について例示した。しかしこれにかがらず、リアルタイムの画像を表示させるディスプレイは、鏡の機能を持たず、鏡とは別に設けられたディスプレイであってもよい。これにより、ディスプレイの配置の自由度が向上するようになる。
【０１２６】
・上記第２の実施形態では、表示ユニット２４はミラーＬＣＤ２６である場合について例示した。しかしこれに限らず、画像を表示する装置は、画像を表示しないときは鏡として使用でき、画像を表示するとき表示器として使用できるものであればミラーＬＣＤ以外のものであってもよい。これにより、送信装置の設計自由度の向上が図られるようになる。
【０１２７】
・上記各実施形態では、電気かみそり１０は電源スイッチ１４の操作により発電する自己発電ユニット１５を備える場合について例示した。しかしこれに限らず、小型電気機器は、起動時に必要な電力を供給できるのであれば、ユーザの体温などで発電する発電部としての自己発電ユニットなどその他の発電構造を有していてもよい。また、電気かみそりには、複数の数及び複数の種類の自己発電ユニットが設けられてもよい。これによっても、給電に認証が必要な場合、小型電気機器の自己発電ユニットにより認証に必要な電力をまかなうことができる。これにより、小型電気機器のバッテリ等を不要とすることができるため、小型電気機器の構造が簡単になり、コストも安くなる。また、給電を認証後に行えるため、電力伝送にかかる安全が高められる。
【０１２８】
・上記各実施形態では、自己発電ユニット１５を備える場合について例示したがこれに限らず、小型電気機器は、起動時に必要な電力を供給できる電池等を有しているのであれば、自己発電ユニットを有していなくてもよい。これにより、小型電気機器の設計自由度の向上が図られる。
【０１２９】
・上記各実施形態では、表示ユニット２４は、リアルタイム画像を表示する場合について例示した。これに加えて、表示ユニットは、その画像処理機能によって、電気かみそりが作用する部位の処理状態を判定して、その判定結果を通知してもよい。例えば、画像処理機能は、ひげのある部位を認識し、電気かみそりが作用してひげの面積が所定以下になると髭剃りが終了したと判定してその旨通知してもよい。また、画像処理機能は、同じ部位の画像について現在の画像と、それ以前の画像とを比較して、２つの画像に含まれるひげのある範囲の差が小さければ髭剃りが終了した旨を通知してもよい。これにより、小型電気機器の利便性の向上が図られる。
【０１３０】
・上記第１の実施形態では、「給電中」が画像により通知される場合について例示したが、これに限らず、「給電中」は音や音声等で通知されてもよい。また、画像や音などは組み合わされてもよい。音や音声、画像による通知は、給電開始時や、給電終了時にのみ通知するようにしてもよい。これにより、小型電気機器の利便性の向上が図られる。
【０１３１】
・上記各実施形態では、給電対象が認証情報に基づいて認証される場合について例示したがこれに限らず、小型電気機器を識別できる情報であれば、識別情報などその他の情報によって認証されてもよい。また、認証に複数の情報を用いてもよい。
【０１３２】
・上記各実施形態では、認証された給電対象に給電される場合について例示したが、認証せずに給電してもよい。つまり、受電ユニットや送電ユニットに認証回路が設けられなくてもよい。これにより、この表示システムの適用範囲の拡大が図られる。
【０１３３】
・上記各実施形態では、非接触給電システムは電磁誘導を利用する場合について例示した。例えば、非接触で給電できるのであれば、非接触給電システムは、電磁誘導方式、電波方式や電磁界共鳴方式やその他の方式などを利用することができる。非接触給電の方式は、送電部と受電部との間の距離や、電力伝送効率などを考慮して適切な方式が選定されればよい。これにより、非接触給電システム用表示システムの設計自由度の向上が図られるようになる。
【０１３４】
・上記各実施形態では、小型電気機器が電気かみそり１０である場合について例示した。しかしこれに限らず、小型電気機器は、ユーザが手に持って使用する大きさの電気機器であればよく、例えば、髭剃り、脱毛器や、うぶ毛そりや、レディシェーバーや、電動歯ブラシなどのいわゆる理美容家電といわれている小型電気機器であってもよい。つまり、この表示システムは、どのような小型電気機器が撮像するリアルタイムな画像であってもリアルタイムに表示することができる。
【０１３５】
また、上述の電気かみそり等の小型電気機器は、使用される部位として、鏡を用いたとしても視認性の確保が難しい部位、例えば、背中や足裏などに適用されると、ユーザに高い利便性を提供することができる。これにより、小型電気機器の利便性の向上が図られるようになる。
【０１３６】
・上記各実施形態では、送電装置２０は電気かみそり１０に給電する場合について例示した。しかしこれに限らず、送電装置に対応する受電装置を備え、送電装置に認証される認証情報を保持している小型電気機器であれば、どのような小型電気機器に対しても非接触で電力を伝送してもよい。これにより、小型電気機器の利便性を高めることができるようになる。
【符号の説明】
【０１３７】
２…洗面台、３…浴室、１０…電気かみそり（小型電気機器）、１１…受電ユニット、１２…動作ユニット（負荷）、１３…撮像ユニット、１５…自己発電ユニット、２０…送電装置、２１…送電ユニット、２２…電源回路、２３…電源スイッチ、２４…表示ユニット、２６…ミラーＬＣＤ、２７…投影面、２８…人感センサ、３１…第１の無線通信ユニット、３２…第２の無線通信ユニット、１１３…認証回路、１３１…撮像素子、２１１…送電コイル、２６１…表面。
【図１】
2014050127.tif 000003
【図２】
2014050127.tif 000004
【図３】
2014050127.tif 000005
【図４】
2014050127.tif 000006
【図５】
2014050127.tif 000007
【図６】
2014050127.tif 000008
【図７】
2014050127.tif 000009
【図８】
2014050127.tif 000010
【図９】
2014050127.tif 000011
【図１０】
2014050127.tif 000012
【図１１】
2014050127.tif 000013